【事件の表示】
　特願２００６−２７５９６６「表示装置」拒絶査定不服審判事件〔平成２０年　４月２４日出願公開、特開２００８−　９６５４８〕について、次のとおり審決する。
【結　論】
　本件審判の請求は、成り立たない。
【理　由】
第１　手続の経緯
　本願は、平成１８年１０月１０日の出願であって、平成２１年２月２５日及び平成２３年１０月６日付けで手続補正がなされ、同年１１月９日付けで拒絶査定がなされ、これに対して、平成２４年１月２５日付けで拒絶査定不服審判が請求されると同時に手続補正がなされたものである。
　なお、請求人は、当審における平成２４年８月１４日付けの審尋に対して同年１０月１６日付けで回答書を提出している。
　
第２　平成２４年１月２５日付け手続補正についての補正却下の決定
〔補正却下の決定の結論〕
　平成２４年１月２５日付け手続補正を却下する。
　
〔理由〕
１　本件補正の内容
（１）平成２４年１月２５日付け手続補正（以下「本件補正」という。）は、特許請求の範囲についてするものであって、本件補正前の請求項１（平成２３年１０月６日付け補正後のもの）に、
　
「ＲＧＢＷの波長分布特性を備える画素を平面配置する表示装置において、
　入力された入力信号に基づい
て関
　前記選択信号に基づいて、予め定められた複数種類のＷ信号の算出方法から１つの算出方法を選択するＷ生成回路と、
　選択された前記算出方法に基づいて算出されたＷ信号を、予め検知された表示装置の外部環境の明るさ情報に基づいて、補正する補正回路と、
　Ｗ信号の補正がされたＲＧＢＷ信号からバックライト駆動信号を算出するバックライト変調回路と、を有することを特徴とする表示装置。」とあったものを、
　
「ＲＧＢＷの波長分布特性を備える画素を平面配置する表示装置において、
　入力された入力信号に基づい
て画素位置と表示内容を判断し、関
　前記選択信号に基づいて、予め定められた複数種類のＷ信号の算出方法から１つの算出方法を選択するＷ生成回路と、
　選択された前記算出方法に基づいて算出されたＷ信号を、予め検知された表示装置の外部環境の明るさ情報に基づいて、補正する補正回路と、
　Ｗ信号の補正がされたＲＧＢＷ信号からバックライト駆動信号を算出するバックライト変調回路と、を有することを特徴とする表示装置。」とする補正を含むものである（下線は審決で付した。以下同じ。）。
　
（２）本件補正後の請求項１に係る上記（１）の補正は、本件補正前の請求項１に係る発明を特定するために必要な事項である「Ｗ信号の選択信号を生成する」ことを「画素位置と表示内容を判断し」て行うと限定するものである。
　
２　本件補正の目的
　本件補正後の請求項１に係る上記１（２）の補正は、本件補正前の請求項１に係る発明を特定するために必要な事項を限定するものであるから、平成１８年法律第５５号改正附則第３条第１項によりなお従前の例によるとされる同法による改正前の特許法第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。
　
３　引用例
（１）原査定の拒絶の理由に引用された「本願の出願前に頒布された刊行物である国際公開第２００５／０３６５１４号（以下「引用例１」という。）」には、次の事項が図とともに記載されている。
　ア　「FIELD OF THE INVENTION
 The present invention relates to color displays and, more particularly, to color displays that include white light emitting elements.
BACKGROUND OF THE INVENTION
 Light emissive displays provide a very bright and high contrast image when the ambient illumination from the surroundings is very low. When the ambient illumination is high, for example in sunlight, the contrast of the display may be much lower because the ambient illumination is reflected from the display and decreases the contrast of the display. To some extent, ambient illumination on a display can be accommodated, for example, by making the display brighter. Techniques for sensing the ambient illumination and making a display brighter are known; see for example US 6,320,325 by Cok et al., issued November 20, 2001. However, simply increasing the power to a display is problematic, particularly for OLED displays whose emissive materials age more rapidly as the display gets brighter. However, such a design does not accommodate the need for improved efficiency. While power efficiency and contrast are always desirable, they are particularly desirable in portable applications because an inefficient display limits the time the device can be used before the power source is recharged. In fact, for certain applications the rate of power consumption may be more important than any other display characteristic with the exception of visibility. There is a need, therefore, for an improved display having improved power efficiency and contrast.
SUMMARY OF THE INVENTION
 The need is met according to the present invention by providing a color display that includes an array of light emitting pixels, each pixel having a plurality of color light emitting elements for emitting different colors of light and at least one additional light emitting element for emitting white light, and wherein the power efficiency of the additional light emitting element is higher th.an the power efficiency of at least one of the color light emitting elements; means for generating a brightness control signal; and means responsive to the brightness control signal and a color display signal for generating a white display signal for driving the white light emitting element(s).
ADVANTAGES
 The advantages of this invention are a color display device with improved power efficiency and contrast.」（１頁３行〜２頁６行）
（日本語訳：
技術分野
　
本発明は
白色発光要素を含むカラーディスプレイに関する
背景技術
　
発光ディスプレイは
周囲照明が非常に高い時、例えば太陽光線下では、周囲照明がディスプレイから反射されディスプレイのコントラストを低下させるためディスプレイのコントラストははるかに低くなることがあ
改善された
コントラストを有する改善されたディスプレイ
発明の概要
　この必要は、
カラーディスプレイであって、各画素が異なる色の光を放射する複数のカラー発光要素と白色光を放射する少なくとも１つの追加の発光要素とを有し、追加の発光要素のパワー効率がカラー発光要素の少なくとも１つのパワー効率より高い発光画素のアレイと、ブライトネス制御信号を生成する手段と、ブライトネス制御信号及びカラー表示信号に応答して白色発光要素を駆動する白色表示信号を生成する手段とを含むカラーディスプレイ
発明の効果
　
本発明の利点は
コントラストが改善されたカラーディスプレイデバイス
　
　イ　「DETAILED DESCRIPTION OF THE INVENTION
 Referring to Fig. 1, an emissive display device 10 according to the present invention includes a display 12 having an array 14 of pixels 16 composed of color light emitting elements defining a gamut and an additional white light emitting element. As defined herein, white light means any color of light that falls within a gamut defined by the colors of light emitted by the color light emitting elements. The display 12 includes a sensor 18 for sensing ambient illumination incident on the display 12. The sensor 18 supplies a brightness control signal 20 to a circuit 22 which is responsive to the brightness control signal and a color display signal 26 to generate a white display signal 24 for driving the white light emitting elements in the pixels 16. The color display signal 26 is employed in a conventional manner for driving the color light emitting elements in the pixels 16. In a simplified embodiment, the means for generating a brightness control signal (sensor 18) may be replaced by a manually controlled adjustment such as a knob or slider that the user adjusts to change the brightness of the display.
 Referring to Fig. 2, each pixel 16 of the array 14 includes a plurality of color light emitting elements, such as red 30, green 32, and blue 34 elements that define a gamut and an additional white light emitting element 36 having a higher efficiency than the color light-emitting elements.
 In operation, the display device 10 responds to the color display signals 26 to drive the color light emitting elements 30, 32, and 34 to display information, for example, images on the display 12. The sensor 18 detects the ambient light illumination on the display 12 and creates a brightness control signal 20 connected to a white display signal generating circuit 22. The white display signal generating circuit 22 creates a white display signal 24 for driving the in- gmiiut additional white light emitting elements 36. Thus, as the ambient illumination becomes brighter, the brightness of the display is increased while reducing the saturation of the display. The in-gamut additional white light emitting element 36 is more efficient than at least one of the color light emitting elements 30-34. Thus, as the ambient illumination increases, the brightness and overall relative efficiency of the display will increase as the light contributed by the additional light emitting element 36 increases. White light emitters with an efficiency higher than color light emitters are known in the .art.
 The white display signal generating circuit 22 may be a very simple circuit that converts the brightness control signal 20 to a form suitable for combining with the color display signals. For example, the brightness control signal 20 may be a voltage or current value that is sensed and converted to a digital or analog signal compatible with the display 12. A display controller 28 receives a conventional color image signal 29, such as an R,G,B color signal and provides timing and control signals that are provided to the display 12.
 The white display signal W may be formed, for example as follows:
    W= (R+G+B)/C * F(a),                                      (1)
 where C is an empirically determined constant and F(a) is a function of the brightness control signal and may simply be a constant times the brightness control signal, or may take a variety of forms as described below. These functions can be implemented by look up tables or operational amplifiers as is known in the art.
 This design has the advantage of a very simple implementation. The ambient illumination sensor 18 may be external to the display 12 or it can be integrated on a common substrate with pixels 16. The white display signal generating circuit 22 can also be integrated onto the same substrate. Alternatively, the white display signal generating circuit 22 can be integrated in a separate circuit with display controller 28. The integration of pixel elements, sensor, and circuitry onto a common substrate are all well known capabilities found in the display industry.
 There are a variety of relationships that can be devised between the feedback signal 20 and the signal 24 for driving the additional light emitting element 36. A simple monotonic relationship is most suitable but it need not be linear. For example, the signal 24 for driving the additional light emitting element 36 can be very low for all ambient feedback signals corresponding to ambient conditions under 150 cd/m2. This provides optimum color saturation in darker conditions. As the ambient illumination increases beyond this point, display brightness becomes a much more significant factor and the display contribution from the additional light-emitting signal can grow much faster to provide a brighter display. Referring to Fig. 4a, a linear relationship between ambient illumination and additional light emitting element brightness is shown. Fig. 4b shows a non-linear function as described above. This concept can be extended to multiple phases as is shown in Fig. 4c where additional contributions from the additional light emitting signal are increased rapidly after staying relatively constant as the ambient illumination incident on the display increases.
 A variety of pixel layouts and shapes may be considered and are considered within the scope of the present invention. For example, Fig. 2 illustrates a two-by-two or quad arrangement. Alternatively, the light emitting elements 30-36 may be arranged in stripes, as is known in the art and illustrated in Fig. 3. Other light element shapes may also be employed other than rectangular as is shown in Fig. 5. It is also possible for the different light emitting element to have different sizes as is shown in Fig. 6. It is well known that the efficiencies and aging characteristics of the various different colored light emitters are different. This can result in changes in display efficiency and color over time as the display is used. By using different sizes of light emitting elements 30-36, these problems can be overcome to some extent.
 It is also important that the white point of the display remain constant as the saturation decreases. This is most readily accomplished by ensuring that the white light emitting element 36 emits light at the same white point as the white point of the display.
 According to the present invention, the additional white light emitting elements may provide a greater luminance contribution than either the red or blue elements. It is well known that the green element also provides a greater luminance contribution than either the red or blue elements. Hence, by positioning the additional element and the green element in a spatially uniform way within a pixel and across the display, image quality is enhanced.
 The present invention can be employed in most OLED and back lit LCD device configurations that include four OLEDs per pixel. These include very simple structures comprising a separate anode and cathode per OLED to more sophisticated devices, such as passive matrix displays having orthogonal arrays of anodes and cathodes to form pixels, and active matrix displays where each pixel is controlled independently, for example, with a thin film transistor (TFT). The present invention can be employed in either a top or bottom emitting OLED device of the types known in the prior art.
 The different colored light emitting elements may be provided by a uniform white light emitting layer of OLED material to provide an array of white light emitting elements and an array of color filters overlaying the white light emitting elements to provide the colored light emitting elements of the present invention. In this implementation, the efficiency of the additional element will be higher than that of the gamut defining elements if no filter, or a broad spectrum filter is provided over the additional element. Although a single OLED material is used, variations in element use can cause variations in element aging.
 Alternatively several different OLED materials that are doped to provide multiple colors may be used to construct the differently colored light emitting elements. For example, the red 30, green 32, blue 34 and white 36 OLEDs may be composed of different OLED materials that are doped to produce different colored OLEDs. In this alternative implementation, OLEDs formed from materials that are doped to produce different colors may have significantly different luminance efficiencies and therefore it may be desirable to select a white OLED with chromaticity coordinates that are biased towards the chromaticity coordinate of the OLED with the lowest power efficiency. By selecting the chromaticity coordinate of the white OLED in this way, the overall power usage may be decreased at the cost of shifting the white point of the display as saturation decreases and the contribution of the white OLED increases.
 In the embodiments that have been discussed above, it is important to note that because the additional element is significantly more efficient than at least one of the gamut elements, the current density or power required to drive the additional element is significantly lower than for the at least one gamut element(s). It is also important to note that the luminance stability over time of the materials used to create the light emitting elements is typically related to the current density used to drive the elements through a very non-linear function in which the luminance stability over time of the material is much poorer when driven to higher current densities.
 To optimize a display device for various applications, differently sized elements may be used. Studies conducted by the present Inventors have shown that saturated colors are rarely found in either images or graphic applications. Hence the efficiency of a display can be improved by using the additional element in the place of the gamut defining elements. Moreover, the use of the additional element can be so high in typical applications that in order to reduce the current density in the additional element, it is useful to increase the size of the additional element. Typical OLED materials presently in use have a relatively higher efficiency for the additional element and the green element, and a relatively lower efficiency for the red and blue elements. Therefore, an optimized display according to the present invention may have relatively larger red, blue and additional elements, and relatively smaller green elements. For example, in applications for which black and white use dominates, the additional white OLED elements will be used more heavily than any of the gamut defining elements and may therefore be increased in size to reduce the current density and hence aging of the additional element. Text and graphic based applications are typically of this type.
 An example of this arrangement described above is shown in Fig. 6, where the green light emitting element 32 is relatively smaller than the additional element 36, and the red and blue elements 30 and 34 are relatively larger than the additional element. The red and blue elements 30 and 34 are largest to compensate for their relatively lower efficiency and the additional element 36 is larger than the green element 32 to accommodate the larger usage of non-saturated colors in a typical application. The relative size of the additional element with respect to the red and blue elements may be adjusted to compensate for their relative efficiencies and expected use.」（３頁１行〜８頁７行）
（日本語訳：
発明の詳細な説明
　図１を参照すると、本発明に係る放射ディスプレイデバイス１０は、
色域を定義するカラー発光要素と追加の白色発光要素とから構成される画素１６のアレイ１４を有するディスプレイ１２
ディスプレイ１２に入射する周囲照明を感知するセンサ１８
　図２を参照すると、
アレイ１４の各ピクセル１６は、色域を定義する赤色３０、緑色３２、及び青色３４の要素といった複数のカラー発光要素と、カラー発光要素より高い効率を有する追加の白色発光要素３６とを含む
  動作の際、ディスプレイデバイス１０はカラー表示信号２６に応答してカラー発光要素３０、３２、及び３４を駆動して、ディスプレイ１２上に、例えば画像といった情報を表示する。
センサ１８は、ディスプレイ１２上の周囲光照明を検出し、白色表示信号生成回路２２に接続するブライトネス制御信号２０を生成する
　白色表示信号生成回路２２は、ブライトネス制御信号２０を、カラー表示信号と結合するのに適した形式に変換する非常に簡単な回路でもよい。例えば、ブライトネス制御信号２０は、感知されディスプレイ１２と互換性を有するデジタルまたはアナログ信号に変換された電圧または電流値でもよい。表示制御装置２８は、
Ｒ、Ｇ、Ｂカラー信号のような従来のカラー画像信号
　
白色表示信号Ｗは、
以下のようなものでもよい
　　
Ｗ＝（Ｒ＋Ｇ＋Ｂ）／Ｃ＊Ｆ（ａ）
　
ここで、Ｃは経験的に決定される定数であり、Ｆ（ａ）はブライトネス制御信号の関数であ
　この設計は実現が非常に簡単であるという利点を有する。周囲照明センサ１８はディスプレイ１２の外部にあってもよく、また画素１６と共通の基板上に一体化してもよい。また、白色表示信号生成回路２２も同じ基板上に一体化してもよい。代替的には、白色表示信号生成回路２２は、別個の回路において表示制御装置２８と一体化してもよい。画素要素、センサ、及び回路を共通の基板上に一体化することは全て、ディスプレイ産業で周知のように可能である。
　フィードバック信号２０と、追加の発光要素３６を駆動する信号２４との間には多様な関係が考えられる。単純な単調関係が最も適切であるが、線形である必要はない。例えば、追加の発光要素３６を駆動する信号２４は、１５０ｃｄ／ｍ2以下の周囲条件に対応する全ての周囲フィードバック信号の場合非常に低くてもよい。これはより暗い条件で最適なカラー彩度を提供する。周囲照明がこの点を越えて増大すると、表示のブライトネスははるかに重要な要因となり、追加の発光信号がもたらす表示はより高速になることができ、より明るい表示を提供する。図４ａを参照すると、周囲照明と追加の発光要素のブライトネスとの間の線形関係が示される。図４ｂは、上記で説明した非線形関数を示す。この概念は、図４ｃに示すような多段階に拡張してもよく、そこでは追加の発光信号が追加してもたらす光は、ディスプレイに入射する周囲照明が増大する際比較的一定に留まった後急速に増大する。
  多様な画素配置及び形状を考慮してもよく、本発明の範囲内で考慮される。例えば、図２は、２×２または「クワッド」配置を例示する。代替的には、発光要素３０〜３６は、当業技術分野で周知であり図３に例示するように、ストライプ状に配置してもよい。図５に示すように、矩形以外の他の形状の発光要素を利用してもよい。また、図６に示すように、異なる発光要素が異なる寸法を有してもよい。様々な異なる着色発光体の効率及び経時変化特性が異なることは周知である。その結果、ディスプレイが使用される時間と共にディスプレイの効率及び色が変化することがある。異なる寸法の発光要素３０〜３６を使用することによって、こうした問題をある程度克服することができる。
　また、彩度が減少する際にディスプレイの白色点が一定であることも重要である。これは、白色発光要素３６がディスプレイの白色点と同じ白色点の光を放射するようにすることによって、最も容易に達成される。
　本発明によれば、追加の白色発光要素は、赤色または青色要素の何れかより大きな輝度を提供することができる。また、緑色要素も赤色または青色要素の何れかより大きな輝度を提供することは周知である。従って、画素内及びディスプレイ全体にわたって追加の要素及び緑色要素を空間的に均一に配置することによって、画像品質が向上する。
　
本発明は
バックライトＬＣＤデバイス構成で利用してよい
　異なる着色発光要素は、白色発光要素のアレイと、本発明の着色発光要素を提供する該白色発光要素に重なるカラーフィルタの配列とを提供するＯＬＥＤ材料の均一な白色発光層によって提供してもよい。この実現例では、追加の要素の効率は、フィルタがないか、または追加の要素の上に高スペクトルフィルタが提供されている場合、色域を定義する要素の効率より高い。単一のＯＬＥＤ材料を使用するが、要素の使用法が変化すると要素の経時変化が変化することがある。
　代替的には、多数の色を提供するようドープしたいくつかの異なるＯＬＥＤ材料を使用して異なる着色発光要素を構成してもよい。例えば、赤色３０、緑色３２、青色３４及び白色３６のＯＬＥＤは、異なる着色ＯＬＥＤを生じるようドープした異なるＯＬＥＤ材料から構成してもよい。この代替実現例では、異なる色を生じるようドープした材料から形成したＯＬＥＤは大きく異なる輝度効率を有することがあるので、パワー効率が最も低いＯＬＥＤの色度座標の方向にバイアスをかけた色度座標を備える白色ＯＬＥＤを選択するのが望ましいことがある。このように白色ＯＬＥＤの色度座標を選択することによって、彩度が減少し白色ＯＬＥＤがもたらす光が増大する際、ディスプレイの白色点をシフトするという犠牲を払って、総合的なパワー使用量を減少してもよい。
　上記で論じた実施形態では、追加の要素は色域要素の少なくとも１つよりはるかに効率が高いので、追加の要素を駆動するために必要な電流密度またはパワーは該少なくとも１つの色域要素の場合よりはるかに低いことに注意することは重要である。また、発光要素を形成するために使用する材料の経時的な輝度安定性は通常、高い電流密度で駆動する場合材料の経時的な輝度安定性がはるかに劣る非常に非線形的な関数によって要素を駆動するために使用する電流密度に関連することにも留意すべきである。
　様々な適用業務のためにディスプレイデバイスを最適化するため、異なる寸法の要素を使用してもよい。本発明者が行った研究によって、画像またはグラフィック何れかの適用業務では、飽和色はまれにしか見られないことが判明した。従って、色域を定義する要素の代わりに追加の要素を使用することによってディスプレイの効率を改善してもよい。その上、追加の要素の使用は通常の適用業務では非常に高度なので、追加の要素における電流密度を低減するため、追加の要素の寸法を増大することが有用である。現在使用されている通常のＯＬＥＤ材料は、追加の要素及び緑色の要素について比較的高い効率を有し、赤色及び青色の要素について比較的低い効率を有する。従って、本発明によって最適化されたディスプレイは比較的大きな赤色、青色、及び追加の要素と、比較的小さな緑色の要素とを有してもよい。例えば、白黒の使用が支配的な適用業務では、追加の白色ＯＬＥＤ要素を色域を定義する要素の何れよりも多く使用し、従って、寸法を増大して電流密度と、ひいては追加の要素の経時変化を低減してもよい。テキスト及びグラフィックベースの適用業務は通常この種のものである。
　上記で説明したこの配置の例を図６に示すが、そこでは緑色の発光要素３２は追加の要素３６より比較的小さく、赤色及び青色の要素３０及び３４は追加の要素より比較的大きい。赤色及び青色の要素３０及び３４はそれらの比較的低い効率を補償するため最大とし、追加の要素３６は、通常の適用業務で非飽和色を多く使用することに対応するため緑色の要素３２より大きくする。赤色及び青色の要素に対する追加の要素の相対寸法を、それらの相対効率及び予想使用量を補償するよう調整してもよい。）
　
　ウ　上記ア及びイから、引用例１には次の発明が記載されているものと認められる。
「異なる色域を定義する光を放射する赤色、緑色、及び青色の要素といった複数のカラー発光要素と白色光を放射する少なくとも１つの追加の白色発光要素とから構成される画素のアレイを有する、バックライトＬＣＤデバイス構成で利用できるカラーディスプレイであって、
　周囲照明が非常に高い時、例えば太陽光線下では、周囲照明がディスプレイから反射されディスプレイのコントラストを低下させるためディスプレイのコントラストははるかに低くなることがあるので、コントラストが改善されたカラーディスプレイを得るために、
　前記追加の白色発光要素のパワー効率が前記カラー発光要素の少なくとも１つのパワー効率より高い画素のアレイと、ディスプレイに入射する周囲光照明を感知してブライトネス制御信号を生成するセンサと、ブライトネス制御信号及びカラー表示信号Ｒ、Ｇ、Ｂに応答して白色発光要素を駆動する白色表示信号Ｗを生成する白色表示信号生成回路と、を備え、
　前記白色表示信号生成回路は、Ｃを経験的に決定される定数、Ｆ（ａ）をブライトネス制御信号の関数としたとき、白色表示信号Ｗを、
　　Ｗ＝（Ｒ＋Ｇ＋Ｂ）／Ｃ＊Ｆ（ａ）
　で定めるものである、
　カラーディスプレイ。」（以下「引用発明１」という。）
　
（２）原査定の拒絶の理由に引用された「本願の出願前に頒布された刊行物である国際公開第２００６／０２５３５９号（以下「引用例２」という。）」には、次の事項が図とともに記載されている。
　ア　「技術分野
［０００１］
　本発明は、より鮮やかで、実在感があり、しかも、アピール感のある画像を、表示装置の表示画面に表示させることが可能な表示装置の駆動方法、表示装置の駆動装置、そのプログラムおよび記録媒体、並びに、表示装置に関するものである。
背景技術
［０００２］
　比較的少ない電力で駆動可能な液晶表示装置は、携帯機器のみならず、据え置き型の機器の画像表示装置としても、広く使用されている。これらの液晶表示装置の中には、各画素の階調を示すデジタル信号をデータ信号線駆動回路へ与え、データ信号線駆動回路が、当該デジタル信号の値に対応する電圧をデータ信号線へ印加することによって、画素の表示階調を制御する液晶表示装置も存在している。
［０００３］
　液晶表示装置は、液晶層が偏光状態を調整することでバックライトから出る光の透過光を調節するため、直接蛍光発光を使用するＣＲＴ（Ｃａｔｈｏｄｅ−Ｒａｙ  Ｔｕｂｅ）などと比較すると光の利用効率が悪くなる。さらにカラー表示のためにカラーフィルターを用いるため液晶ディスプレイの光利用効率は、いっそう低下する。
［０００４］
　特許文献１（特開平２−１１８５２１号公報；公開日：１９９０年５月２日）には、この問題を解決するために画素構成をＲＧＢのサブ画素だけでなく、カラーフィルターを用いないＷ（白）のサブ画素を設けることによって、白状態の透過率を向上させる技術が開示されている。
［０００５］
　例えば、ＲＧＢの内最も小さい階調レベルにＷ階調を設定し、最も小さくない画素は、Ｗ階調の示す輝度と、それぞれの色の輝度との輝度差に相当する階調に補正することで全体に明るい表示が実現できる。
発明の開示
［０００６］
　しかしながら、上記従来の構成によって、全体に明るい表示を実現したとしても、ＣＲＴ（Ｃａｔｈｏｄｅ−Ｒａｙ  Ｔｕｂｅ）と比較すると、際立って明るい領域を表示する場合には輝度が不足することがあり、表示する画像の鮮やかさ、実在感およびアピール感が不足する虞れがあるという問題を生じる。
［０００７］
　本発明は、上記の問題点に鑑みてなされたものであり、その目的は、より鮮やかで、実在感があり、しかも、アピール感のある画像を、表示装置の表示画面に表示させることが可能な表示装置の駆動方法、表示装置の駆動装置、そのプログラムおよび記録媒体、並びに、表示装置を実現することにある。
［０００８］
　本発明に係る表示装置の駆動方法は、上記課題を解決するために、表示領域を複数の小領域に分割する分割工程と、各小領域の階調輝度特性を制御する制御工程とを含む表示装置の駆動方法であって、各画素に表示すべき入力信号に基づいて、上記分割工程にて分割された各小領域の相対的な明るさを評価し、表示画面中に他の小領域よりも予め定められた程度よりも明るい第１小領域が存在するか否かを判定する判定工程を含み、上記制御工程は、存在しないと判定した場合の各小領域における白の輝度、および、存在すると判定した場合の第１小領域以外の小領域における白の輝度が、第１小領域における白輝度よりも低くなるように、上記各小領域の階調輝度特性を制御することを特徴としている。
［０００９］
　また、本発明に係る画像表示装置の駆動装置は、上記課題を解決するために、表示領域を複数の小領域に分割する分割し、各小領域の階調輝度特性を制御する制御手段を含む画像表示装置の駆動装置であって、各画素に表示すべき入力信号に基づいて、上記分割工程にて分割された各小領域の相対的な明るさを評価し、表示画面中に他の小領域よりも予め定められた程度よりも明るい第１小領域が存在するか否かを判定する判定手段を含み、上記制御手段は、存在しないと判定した場合の各小領域における白の輝度、および、存在すると判定した場合の第１小領域以外の小領域における白の輝度が、第１小領域における白輝度よりも低くなるように、上記各小領域の階調輝度特性を制御することを特徴としている。
［００１０］
　上記構成によれば、表示画面中に他の小領域よりも予め定められた程度よりも明るい第１小領域が存在する場合、当該第１小領域における白輝度を、存在しないと判定した場合の各小領域における白の輝度、および、存在すると判定した場合の第１小領域以外の小領域における白の輝度よりも高くすることができる。
［００１１］
　したがって、際立って明るい小領域（第１小領域）を含む画像の表示が指示された場合、当該小領域を、当該画像の残余の領域、および、際立って明るい小領域を含まない画像の各小領域と比較して、より際立って明るく表示することができ、当該画像を高いコントラスト比で表示させることができる。したがって、より鮮やかで、実在感があり、しかも、アピール感のある画像を、表示装置の表示画面に表示させることができる。
［００１２］
　また、本発明に係る表示装置の駆動装置は、
上記課題を解決するために、表示装置の表示画面を構成する複数の画素それぞれが、カラーフィルターの有無またはカラーフィルターの色によって互いに異なる色を表示するための複数のサブ画素を有し、当該各画素を構成する複数のサブ画素の１つである特定サブ画素は、他の１または複数のサブ画素により表示可能な色を表示するためのものである表示装置の駆動装置において、上記各画素に表示すべき色を示す入力信号に基づいて、各サブ画素を駆動するための信号を生成する第１生成手段と、上記各画素に表示すべき色を示す入力信号に基づいて、入力信号が同じ場合に、上記第１生成手段よりも上記特定サブ画素の輝度を制限するように、上記各サブ画素を駆動するための信号を生成する第２生成手段と、表示画面を複数の小領域に分割し、各画素に表示すべき入力信号に基づいて、各小領域の相対的な明るさを評価し、表示画面中に他の小領域よりも予め定められた程度よりも明るい第１小領域が存在するか否かを判定すると共に、当該第１小領域に含まれるサブ画素を駆動するための信号は、上記第１生成手段によって生成させ、残余の小領域に含まれるサブ画素を駆動するための信号は、上記第２生成手段によって生成させる制御手段とを備えている
［００１３］
　上記構成では、例えば、
際立って明るい部分を含む画像を表示する場合
表示画面を複数の小領域に分割すると共に、各小領域の相対的な明るさを評価し、表示画面中に他の小領域よりも予め定められた程度よりも明るい第１小領域が存在する場合、制御手段は、当該第１小領域のサブ画素を駆動するための信号を、第１生成手段によって生成させ、残余の小領域（第２小領域）のサブ画素を駆動するための信号は、第２生成手段に生成させ
［００１４］
　
また、際立って明るい部分が存在しない画像を表示する場合など、第１小領域が存在しない場合、制御手段は、表示画面の各小領域（第２小領域）のサブ画素を駆動するための信号を、第２生成手段に生成させ
［００１５］
　ここで、
第２生成手段は、上記各サブ画素を駆動するための信号を生成する際、上記第１生成手段よりも上記特定サブ画素の輝度を制限し
第１小領域および第２小領域のサブ画素を、互いに同じ生成手段の生成した信号によって駆動する場合と比較して、第２小領域の明るさに対する第１小領域の相対的な明るさを増大させることができ
際立って明るい小領域を含まない画像の表示が指示された場合、すなわち、全サブ画素を、第２生成手段の生成した信号によって駆動する場合と比較しても、上記第１小領域の相対的な明るさを増大させることができる
［００１６］
　
この結果、際立って明るい小領域（第１小領域）を含む画像の表示が指示された場合、当該小領域を、
より際立って明るく表示することができ、当該画像を高いコントラスト比で表示させることができ
より鮮やかで、実在感があり、しかも、アピール感のある画像を、表示装置の表示画面に表示させることができる
［００１７］
　また、上記構成に加えて、上記各画素には、
特定サブ画素としてのＷ（白）のサブ画素と、Ｒ（赤）、Ｇ（緑）およびＢ（青）のサブ画素とを含んでい
白のサブ画素を含んでいるので、他の色よりも、明るさを向上できる。したがって、より鮮やかで、実在感があり、しかも、アピール感のあるカラー画像を、表示装置の表示画面に表示させることができ
［００１８］
　さらに、上記構成に加えて、上記第２生成手段は、上記Ｗのサブ画素の輝度を指示する階調信号を予め定められた暗表示用の値にリセットすると共に、上記第１生成手段は、上記Ｗのサブ画素の輝度を指示する階調信号を、上記入力信号によって示され、当該Ｗのサブ画素を含む画素の輝度に応じた値に設定してもよい。
［００１９］
　当該構成では、第２生成手段がＷのサブ画素へ暗表示を指示し、第１生成手段の生成する階調信号によって駆動される場合に、Ｗのサブ画素の輝度が暗表示以上の値に設定されるので、第１小領域を、第２小領域に比べて、より明るくすることができる。したがって、より鮮やかで、実在感があり、しかも、アピール感のある画像を、表示装置の表示画面に表示させることができる。
［００２０］
　また、上記構成に加えて、上記第１生成手段のγ特性のγ値は、上記第２生成手段よりも大きな値に設定されていてもよい。当該構成では、第１生成手段の生成する信号のγ値が、第２生成手段よりも大きく設定されているので、当該信号が変化したときに、第１小領域のサブ画素の輝度を、より急峻に変化させることができる。この結果、第１小領域をより際立って明るく表示させることができ、より鮮やかで、実在感があり、しかも、アピール感のある画像を、表示装置の表示画面に表示させることができる。
［００２１］
　さらに、上記構成に加えて、上記制御手段は、表示画面中の面内平均輝度に対して予め定められるレベルより画素の輝度の大きな画素の占める割合が予め定められる比率以上の小領域を、第１小領域と判定してもよい。
［００２２］
　当該構成では、上記のように第１小領域を判定するので、際立って明るい小領域を第１小領域と判定できる。したがって、より鮮やかで、実在感があり、しかも、アピール感のある画像を、表示装置の表示画面に表示させることができる。
［００２３］
　また、上記構成に加えて、上記制御手段は、上記予め定められたレベルを、上記各画素の輝度の上記表示画面における標準偏差に応じて変更してもよい。
［００２４］
　当該構成では、標準偏差に応じて上記予め定められたレベルを変更するので、予め定められたレベルを固定する場合と比較して、より多様な映像を表示する場合であっても、的確に第１小領域を判定できる。したがって、より多様な映像の表示が指示される場合でも、何ら支障なく、当該映像を、より鮮やかで、実在感があり、しかも、アピール感のある映像を、表示装置の表示画面に表示させることができる。
［００２５］
　例えば、モノトーンに近い画像のように、他の小領域よりも僅かに明るい小領域があるだけで、際立って明るい小領域であると感じられる画像の場合は、標準偏差が小さいので、標準偏差が大きいときよりも、上記予め定められたレベルを小さく設定することによって、当該小領域を第１小領域と判定できる。
［００２６］
　一方、標準偏差が大きい画像を表示する場合には、上記レベルを標準偏差が小さい場合より大きくすれば、上記モノトーンに近い画像のときに第１小領域と判定した小領域を第１小領域ではないと判定することができ、第１小領域が常時多数表示画面内に存在するという状況を回避できる。ここで、第１小領域が常時多数表示画面内に存在する場合、以下の不具合、すなわち、常時、第１小領域用の処理の影響が反映され、カラーバランス、トーンカーブなどの表示特性が所望の特性から外れるという不具合を招来する虞れがある。」
　
　イ　「［００４１］
　ところで、上記表示装置の駆動装置は、ハードウェアで実現してもよいし、プログラムをコンピュータに実行させることによって実現してもよい。具体的には、本発明に係るプログラムは、上記表示装置の駆動装置の各手段としてコンピュータを動作させるプログラムであり、本発明に係る記録媒体には、当該プログラムが記録されている。
［００４２］
　これらのプログラムがコンピュータによって実行されると、当該コンピュータは、上記表示装置の駆動装置として動作する。したがって、上記表示装置の駆動装置と同様に、際立って明るい小領域（第１小領域）を、より際立って明るく表示させることができ、当該小領域を含む画像を高いコントラスト比で表示させることができる。この結果、より鮮やかで、実在感があり、しかも、アピール感のある画像を、表示装置の表示画面に表示させることができる。
［００４３］
　また、
本発明に係る表示装置は
際立って明るい小領域（第１小領域）を、より際立って明るく表示させることができ、当該小領域を含む画像を高いコントラスト比で表示させることができる
　
　ウ　上記ア及びイから、引用例２には次の発明が記載されているものと認められる。
「表示装置の表示画面を構成する複数の画素それぞれが、カラーフィルターの有無またはカラーフィルターの色によって互いに異なる色を表示するための複数のサブ画素を有し、当該各画素を構成する複数のサブ画素は、Ｒ（赤）、Ｇ（緑）およびＢ（青）のサブ画素とＷ（白）のサブ画素とを含んでおり、白のサブ画素を含んでいるので、明るさを向上でき、より鮮やかで、実在感があり、しかも、アピール感のあるカラー画像を、表示装置の表示画面に表示させることができる表示装置の駆動装置において、
　上記各画素に表示すべき色を示す入力信号に基づいて各サブ画素を駆動するための信号を生成する第１生成手段と、
　上記各画素に表示すべき色を示す入力信号に基づいて、入力信号が同じ場合に、上記第１生成手段よりもＷ（白）のサブ画素の輝度を制限するように上記各サブ画素を駆動するための信号を生成する第２生成手段と、
　表示画面を複数の小領域に分割し、各画素に表示すべき入力信号に基づいて各小領域の相対的な明るさを評価し、表示画面中に他の小領域よりも予め定められた程度よりも明るい第１小領域が存在するか否かを判定すると共に、当該第１小領域に含まれるサブ画素を駆動するための信号を上記第１生成手段によって生成させ、残余の小領域に含まれるサブ画素を駆動するための信号を上記第２生成手段によって生成させる制御手段とを備え、
　前記制御手段は、表示画面を複数の小領域に分割すると共に、各小領域の相対的な明るさを評価し、際立って明るい部分を含む画像を表示する場合など表示画面中に他の小領域よりも予め定められた程度よりも明るい第１小領域が存在する場合、当該第１小領域のサブ画素を駆動するための信号を、第１生成手段によって生成させ、残余の小領域である第２小領域のサブ画素を駆動するための信号は、第２生成手段に生成させ、また、際立って明るい部分が存在しない画像を表示する場合など第１小領域が存在しない場合、第２小領域である表示画面の各小領域のサブ画素を駆動するための信号を、第２生成手段に生成させ、
　第２生成手段は、上記第１生成手段よりも上記特定サブ画素の輝度を制限して、上記各サブ画素を駆動するための信号を生成するので、
　第１小領域および第２小領域のサブ画素を、互いに同じ生成手段の生成した信号によって駆動する場合と比較して、第２小領域の明るさに対する第１小領域の相対的な明るさを増大させることができ、際立って明るい小領域を含まない画像の表示が指示された場合、すなわち、全サブ画素を、第２生成手段の生成した信号によって駆動する場合と比較しても、上記第１小領域の相対的な明るさを増大させることができ、その結果、際立って明るい小領域である第１小領域を含む画像の表示が指示された場合、当該小領域を、より際立って明るく表示することができ、当該画像を高いコントラスト比で表示させることができ、より鮮やかで、実在感があり、しかも、アピール感のある画像を、表示画面に表示させることができる表示装置の駆動装置。」（以下「引用発明２」という。）
　
４　対比
　本願補正発明と引用発明１とを対比する。
（１）引用発明１の
「異なる色域を定義する光を放射する赤色、緑色、及び青色の要素といった複数のカラー発光要素と白色光を放射する少なくとも１つの追加の白色発光要素とから構成される画素のアレイ」、「カラーディスプレイ」、「カラー表示信号Ｒ、Ｇ、Ｂ」、「『白色表示信号Ｗ』を『定める』式」、「白色表示信号Ｗ」、「バックライト」及び「『センサ』が『ディスプレイに入射する周囲光照明を感知』して『生成』する『ブライトネス制御信号』」は、それぞれ、本願補正発明の「『平面配置』した『ＲＧＢＷの波長分布特性を備える画素』」、「表示装置」、「入力された入力信号」、「Ｗ信号の算出方法」、「Ｗ信号」、「バックライト」及び「予め検知された表示装置の外部環境の明るさ情報」に相当する。
　
（２）引用発明１の「Ｗ信号（白色表示信号Ｗ）」は、Ｃを経験的に決定される定数、Ｆ（ａ）を「予め検知された表示装置の外部環境の明るさ情報（ブライトネス制御信号）」の関数としたとき、白色表示信号生成回路により、Ｗ＝（Ｒ＋Ｇ＋Ｂ）／Ｃ＊Ｆ（ａ）で定めるから、本願補正発明の「Ｗ信号」と「『予め定められ』た『Ｗ信号の算出方法』に基づいて『算出』され、『予め検知された表示装置の外部環境の明るさ情報に基づいて、補正』される」点で一致する。そして、引用発明１の白色表示信号生成回路には本願補正発明の「補正回路」が含まれているといえる。
　
（３）上記（１）及び（２）から、本願補正発明と引用発明１とは、
「ＲＧＢＷの波長分布特性を備える画素を平面配置する表示装置において、
　予め定められたＷ信号の算出方法に基づいて算出されたＷ信号を、予め検知された表示装置の外部環境の明るさ情報に基づいて、補正する補正回路を有する表示装置。」の点で一致し、次の点で相違する。
　
相違点１：
　本願補正発明では、
　前記表示装置が、
「入力された入力信号に基づいて画素位置と表示内容を判断し、関連付けられるコントラスト重視の信号処理又は色再現重視の信号処理を選択するＷ信号の選択信号を生成するＷ生成選択信号回路」と、
「前記選択信号に基づいて、予め定められた複数種類のＷ信号の算出方法から１つの算出方法を選択するＷ生成回路」と、
　を有し、
　前記Ｗ信号の算出には、上記「Ｗ生成回路」に選択された算出方法を使うのに対して、
　引用発明１では、前記表示装置が、そのような回路を有していない点。
　
相違点２：
　前記表示装置が、本願補正発明では、「Ｗ信号の補正がされたＲＧＢＷ信号からバックライト駆動信号を算出するバックライト変調回路」も有するのに対して、引用発明１では、「バックライト変調回路」も有しない点。
　
５　判断
　上記相違点１及び２について検討する。
（１）相違点１について
　ア　引用例２には、上記３（２）で述べたとおりの引用発明２（上記３（２）ウ参照。）が記載されている。
　引用発明２は、各画素に表示すべき色を示す入力信号に基づいて各サブ画素を駆動するための信号を生成する第１生成手段と、
　上記各画素に表示すべき色を示す入力信号に基づいて、入力信号が同じ場合に、上記第１生成手段よりもＷ（白）のサブ画素の輝度を制限するように上記各サブ画素を駆動するための信号を生成する第２生成手段と、
　表示画面を複数の小領域に分割し、各画素に表示すべき入力信号に基づいて各小領域の相対的な明るさを評価し、表示画面中に他の小領域よりも予め定められた程度よりも明るい第１小領域が存在するか否かを判定すると共に、当該第１小領域に含まれるサブ画素を駆動するための信号を上記第１生成手段によって生成させ、残余の小領域に含まれるサブ画素を駆動するための信号を上記第２生成手段によって生成させる制御手段とを備え、
　前記制御手段は、表示画面を複数の小領域に分割すると共に、各小領域の相対的な明るさを評価し、際立って明るい部分を含む画像を表示する場合など表示画面中に他の小領域よりも予め定められた程度よりも明るい第１小領域が存在する場合、当該第１小領域のサブ画素を駆動するための信号を、第１生成手段によって生成させ、残余の小領域である第２小領域のサブ画素を駆動するための信号は、第２生成手段に生成させ、また、際立って明るい部分が存在しない画像を表示する場合など第１小領域が存在しない場合、第２小領域である表示画面の各小領域のサブ画素を駆動するための信号を、第２生成手段に生成させ、
　第２生成手段は、上記第１生成手段よりも上記特定サブ画素の輝度を制限して、上記各サブ画素を駆動するための信号を生成するので、
　第１小領域および第２小領域のサブ画素を、互いに同じ生成手段の生成した信号によって駆動する場合と比較して、第２小領域の明るさに対する第１小領域の相対的な明るさを増大させることができ、際立って明るい小領域を含まない画像の表示が指示された場合、すなわち、全サブ画素を、第２生成手段の生成した信号によって駆動する場合と比較しても、上記第１小領域の相対的な明るさを増大させることができ、その結果、際立って明るい小領域である第１小領域を含む画像の表示が指示された場合、当該小領域を、より際立って明るく表示することができ、当該画像を高いコントラスト比で表示させることができ、より鮮やかで、実在感があり、しかも、アピール感のある画像を、表示画面に表示させることができる表示装置の駆動装置である。
　
　イ　引用発明１において、より鮮やかで、実在感があり、しかも、アピール感のある画像を、表示画面に表示させることができるようにするため、引用発明１において、「各画素に表示すべき色を示す入力信号に基づいて各サブ画素を駆動するための信号を生成する第１生成手段」と、「上記各画素に表示すべき色を示す入力信号に基づいて、入力信号が同じ場合に、上記第１生成手段よりもＷ（白）のサブ画素の輝度を制限するように上記各サブ画素を駆動するための信号を生成する第２生成手段」と、「表示画面を複数の小領域に分割し、各画素に表示すべき入力信号に基づいて各小領域の相対的な明るさを評価し、表示画面中に他の小領域よりも予め定められた程度よりも明るい第１小領域が存在するか否かを判定すると共に、当該第１小領域に含まれるサブ画素を駆動するための信号を上記第１生成手段によって生成させ、残余の小領域に含まれるサブ画素を駆動するための信号を上記第２生成手段によって生成させる制御手段」とを設け、該「制御手段」により、表示画面を複数の小領域に分割すると共に、各小領域の相対的な明るさを評価し、際立って明るい部分を含む画像を表示する場合など表示画面中に他の小領域よりも予め定められた程度よりも明るい第１小領域が存在する場合、当該第１小領域のサブ画素を駆動するための信号を、第１生成手段によって生成させ、残余の小領域である第２小領域のサブ画素を駆動するための信号は、第２生成手段に生成させ、また、際立って明るい部分が存在しない画像を表示する場合など第１小領域が存在しない場合、第２小領域である表示画面の各小領域のサブ画素を駆動するための信号を、第２生成手段に生成させ、第２生成手段は、上記第１生成手段よりも上記特定サブ画素の輝度を制限して、上記各サブ画素を駆動するための信号を生成するので、第１小領域および第２小領域のサブ画素を、互いに同じ生成手段の生成した信号によって駆動する場合と比較して、第２小領域の明るさに対する第１小領域の相対的な明るさを増大させることができ、際立って明るい小領域を含まない画像の表示が指示された場合、すなわち、全サブ画素を、第２生成手段の生成した信号によって駆動する場合と比較しても、上記第１小領域の相対的な明るさを増大させることができ、その結果、際立って明るい小領域である第１小領域を含む画像の表示が指示された場合、当該小領域を、より際立って明るく表示することができ、当該画像を高いコントラスト比で表示させることができるようになすことは、当業者が、引用発明２に基づいて容易に想到することができた程度のことである。
　
　ウ　上記イの「『表示画面を複数の小領域に分割し、各画素に表示すべき入力信号に基づいて各小領域の相対的な明るさを評価し、表示画面中に他の小領域よりも予め定められた程度よりも明るい第１小領域が存在するか否かを判定する』こと」及び「当該第１小領域に含まれるサブ画素を駆動するための信号を上記第１生成手段によって生成させ、残余の小領域に含まれるサブ画素を駆動するための信号を上記第２生成手段によって生成させる制御」は、それぞれ、本願補正発明の「入力された入力信号に基づいて画素位置と表示内容を判断」及び「『関連付けられるコントラスト重視の信号処理又は色再現重視の信号処理を選択するＷ信号の選択信号を生成する』及び『前記選択信号に基づいて、予め定められた複数種類のＷ信号の算出方法から１つの算出方法を選択する』」に相当する。
　したがって、上記イのようになすことは、引用発明１において、本願補正発明の「入力された入力信号に基づいて画素位置と表示内容を判断し、関連付けられるコントラスト重視の信号処理又は色再現重視の信号処理を選択するＷ信号の選択信号を生成するＷ生成選択信号回路」及び「前記選択信号に基づいて、予め定められた複数種類のＷ信号の算出方法から１つの算出方法を選択するＷ生成回路」を設け、前記Ｗ信号の算出に、設けた「Ｗ生成回路」が選択した「算出方法」を使うようになすことになるから、引用発明１において、上記相違点１に係る本願補正発明の構成となすことは、上記イからみて、当業者が、引用発明２に基づいて容易になし得た程度のことである。
　
（２）相違点２について
　ア　ＲＧＢＷの画像信号からバックライトの輝度を算出するバックライトＬＣＤディスプレイは、本願の出願前に周知である（以下「周知技術」という。例．特開２００５−２４２３００号公報（【００１８】、【００２８】、【００３８】参照。）、国際公開第２００６／０８０２３７号（［００２２］参照。））。
　
　イ　上記アからみて、引用発明１において、前記「バックライト」の輝度をＲＧＢＷの画像信号から算出するようにするために、Ｗ信号の補正がされたＲＧＢＷ信号からバックライト駆動信号を算出する「バックライト変調回路」を設けること、すなわち、引用発明１において、上記相違点２に係る本願補正発明の構成となすことは、当業者が周知技術に基づいて適宜なし得た程度のことである。
　
（３）効果について
　本願補正発明の奏する効果は、当業者が引用発明１の奏する効果、引用発明２の奏する効果及び周知技術の奏する効果から予測することができた程度のものである。
　
（４）まとめ
　したがって、本願補正発明は、当業者が引用発明１、引用発明２及び周知技術に基づいて容易に発明をすることができたものである。
　本願補正発明は、当業者が引用発明１、引用発明２及び周知技術に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきものである。
　
第３　本願発明について
１　本願発明
　本件補正は上記第２のとおり却下されたので、本願の請求項１ないし５に係る発明は、平成２３年１０月６日付けで補正された特許請求の範囲の請求項１ないし５に記載された事項によって特定されるものであるところ、請求項１に係る発明は、平成２３年１０月６日付けで補正された明細書、特許請求の範囲及び図面の記載からみて、上記「第２〔理由〕１（１）」に本件補正前の請求項１として記載したとおりのものと認める（以下「本願発明」という。）。
　
２　引用例
　原査定の拒絶の理由に引用された引用例１及び引用例２並びにそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用発明１、引用発明２及び周知技術に基づいて容易に発明をすることができたものであるから、本願発明も同様の理由により、当業者が引用発明１、引用発明２及び周知技術に基づいて容易に発明をすることができたものである。
　
４　むすび
　本願発明は、以上のとおり、当業者が引用発明１、引用発明２及び周知技術に基づいて容易に発明をすることができたものであるから、特許法第２９条第２項の規定により特許を受けることができない。
　よって、結論のとおり審決する。